(57)【特許請求の範囲】
【請求項１】
開閉自在な蓋体を有してその内部に食器が収納される洗浄槽と、該洗浄槽内に供給される湯水で同食器を洗浄する洗浄手段と、該洗浄手段による洗浄行程の後に前記食器を乾燥させる乾燥手段と、該乾燥手段による乾燥行程へと至る以前に前記洗浄槽内の湯水を排水させる排水ポンプと、を備え、スタートスイッチがＯＮ操作されて蓋体が閉状態であるときに、前記洗浄行程と乾燥行程とが途中に排水ポンプの作動による排水を伴って自動的に実行されるようになした食器洗浄装置において、スタートスイッチがＯＦＦ状態であるときに、蓋体の開閉状態にかかわらず、排水ポンプを作動させて排水させる排水用スイッチと、同排水ポンプが作動状態であることを表示する排水表示部と、を設けてなる食器洗浄装置であって、前記洗浄槽が上方に開口され、該開口を開閉する蓋体がその閉状態で流し台のカウンターの高さと略等しくなるよう、該カウンターに設けられるシンクの側方に同洗浄槽が隣接設置されたものであることを特徴とする食器洗浄装置。
【請求項２】
開閉自在な蓋体を有してその内部に食器が収納される洗浄槽と、該洗浄槽内に供給される湯水で同食器を洗浄する洗浄手段と、該洗浄手段による洗浄行程で必要とされる同湯水の水位を検知する通常水位センサと、該洗浄行程の後に前記食器を乾燥させる乾燥手段と、該乾燥手段による乾燥行程へと至る以前に前記洗浄槽内の湯水を排水させる排水ポンプと、を備え、スタートスイッチがＯＮ操作されて蓋体が閉状態であるときに、前記洗浄行程と乾燥行程とが途中に排水ポンプの作動による排水を伴って自動的に実行されるようになした食器洗浄装置において、スタートスイッチがＯＦＦ状態であるときに、蓋体の開閉状態にかかわらず、通常水位センサの検知により排水ポンプが自動的に作動して排水されるようになした食器洗浄装置であって、前記洗浄槽が上方に開口され、該開口を開閉する蓋体がその閉状態で流し台のカウンターの高さと略等しくなるよう、該カウンターに設けられるシンクの側方に同洗浄槽が隣接設置されたものであることを特徴とする食器洗浄装置。
【請求項３】
開閉自在な蓋体を有してその内部に食器が収納される洗浄槽と、該洗浄槽内に供給される湯水で同食器を洗浄する洗浄手段と、該洗浄手段による洗浄行程で必要とされる同湯水の水位を検知する通常水位センサと、該洗浄行程の後に前記食器を乾燥させる乾燥手段と、該乾燥手段による乾燥行程へと至る以前に前記洗浄槽内の湯水を排水させる排水ポンプと、を備え、スタートスイッチがＯＮ操作されて蓋体が閉状態であるときに、前記洗浄行程と乾燥行程とが途中に排水ポンプの作動による排水を伴って自動的に実行されるようになした食器洗浄装置において、スタートスイッチがＯＦＦ状態であるときに、蓋体の開閉状態にかかわらず、排水ポンプを作動させて排水させる排水用スイッチを設けると共に、同じくスタートスイッチがＯＦＦ状態であるときに、蓋体の開閉状態にかかわらず、通常水位センサの検知により排水ポンプが自動的に作動して排水されるようになし、同排水ポンプが作動状態であることを表示する排水表示部を設けてなる食器洗浄装置であって、前記洗浄槽が上方に開口され、該開口を開閉する蓋体がその閉状態で流し台のカウンターの高さと略等しくなるよう、該カウンターに設けられるシンクの側方に同洗浄槽が隣接設置されたものであることを特徴とする食器洗浄装置。
【発明の詳細な説明】
【０００１】
【発明の属する技術分野】
本発明は、食器を自動的に洗浄、乾燥させて収納することができる食器洗浄装置に関するものである。
【０００２】
【従来の技術】
従来から、食器を自動的に洗浄、乾燥させて収納することができる食器洗浄装置は知られている。該食器洗浄装置は、開閉自在な蓋体を有してその内部に食器が収納される洗浄槽と、該洗浄槽内に供給される湯水で同食器を洗浄する洗浄手段と、該洗浄手段による洗浄行程の後に前記食器を乾燥させる乾燥手段と、該乾燥手段による乾燥行程へと至る以前に前記洗浄槽内の湯水を排水させる排水ポンプと、を備えている。
【０００３】
この場合、スタートスイッチがＯＮ操作されて蓋体が閉状態であるときに、前記洗浄行程と乾燥行程とが途中に排水ポンプの作動による排水を伴って自動的に実行されるようになっている。したがって、この場合、蓋体が閉じられた安全な状態で、収納された食器が洗浄され、自動的に排水も行われて、同食器は効率良く乾燥される。
【０００４】
【発明が解決しようとする課題】
しかしながら、上記従来の技術においては、スタートスイッチがＯＮ操作されて洗浄、乾燥が実行されている途中で、排水ポンプは自動的に作動されるだけなので、同洗浄、乾燥が実行されていない際には、洗浄槽内から排水させることがでないものであった。
【０００５】
それ故、洗浄槽内に誤って入った水を排水除去することが困難で、該洗浄槽内を水洗いして清掃することもできず、又、同洗浄槽内に多量の水が溜まって溢れると水漏れのクレームにもなるという問題があった。特に、洗浄槽が上方に開口し、該洗浄槽が流し台のシンクの側方に隣接設置されて、同流し台のカンウターと前記開口とが略等しい高さとなる場合には、同洗浄槽内に水が入り込み易くて該水を排水除去し難く、しかも、同洗浄槽の上方開口付近やその周囲を水洗いして清掃することができない不都合を生じるという問題があった。
【０００６】
本発明は、上記従来の技術における問題を悉く解決するために発明されたもので、その課題は、洗浄、乾燥が行われていない際に、洗浄槽内に入り込んだ水を排水除去することができ、それ故に、該洗浄槽内を水洗いして簡単に清掃することができ、同洗浄槽から水が溢れる水漏れのクレームを防止することもできる食器洗浄装置を提供することである。
【０００７】
【課題を解決するための手段】
本発明の請求項１記載の食器洗浄装置は、開閉自在な蓋体を有してその内部に食器が収納される洗浄槽と、該洗浄槽内に供給される湯水で同食器を洗浄する洗浄手段と、該洗浄手段による洗浄行程の後に前記食器を乾燥させる乾燥手段と、該乾燥手段による乾燥行程へと至る以前に前記洗浄槽内の湯水を排水させる排水ポンプと、を備え、スタートスイッチがＯＮ操作されて蓋体が閉状態であるときに、前記洗浄行程と乾燥行程とが途中に排水ポンプの作動による排水を伴って自動的に実行されるようになした食器洗浄装置において、スタートスイッチがＯＦＦ状態であるときに、蓋体の開閉状態にかかわらず、排水ポンプを作動させて排水させる排水用スイッチと、同排水ポンプが作動状態であることを表示する排水表示部と、を設けてなる。
【０００８】
したがって、この場合には、スタートスイッチがＯＮ操作されて蓋体が閉状態であると、洗浄行程と乾燥行程とが途中に排水ポンプの作動による排水を伴って自動的に実行されるので、蓋体が閉じられた安全な状態で、収納された食器が洗浄され、自動的に排水も行われて、同食器は効率良く乾燥される。
【０００９】
しかも、スタートスイッチがＯＦＦ状態で洗浄、乾燥が行われていない際、蓋体の開閉状態にかかわらず、排水用スイッチにて排水ポンプを作動させることができる。それ故、洗浄槽内に入り込んだ水を排水除去することができ、該洗浄槽内を水洗いして簡単に清掃することができ、同洗浄槽から水が溢れる水漏れのクレームを防止することができる。更に、その際、排水ポンプが作動状態であることが排水表示部にて表示されるので、排水途中に誤ってスタートスイッチをＯＮ操作することも防止される。
【００１０】
本発明の請求項２記載の食器洗浄装置は、開閉自在な蓋体を有してその内部に食器が収納される洗浄槽と、該洗浄槽内に供給される湯水で同食器を洗浄する洗浄手段と、該洗浄手段による洗浄行程で必要とされる同湯水の水位を検知する通常水位センサと、該洗浄行程の後に前記食器を乾燥させる乾燥手段と、該乾燥手段による乾燥行程へと至る以前に前記洗浄槽内の湯水を排水させる排水ポンプと、を備え、スタートスイッチがＯＮ操作されて蓋体が閉状態であるときに、前記洗浄行程と乾燥行程とが途中に排水ポンプの作動による排水を伴って自動的に実行されるようになした食器洗浄装置において、スタートスイッチがＯＦＦ状態であるときに、蓋体の開閉状態にかかわらず、通常水位センサの検知により排水ポンプが自動的に作動して排水されるようになした。
【００１１】
したがって、この場合には、スタートスイッチがＯＮ操作されて蓋体が閉状態であると、必要とされる量の湯水が通常水位センサで検知されて洗浄槽内に供給され、洗浄行程と乾燥行程とが途中に排水ポンプの作動による排水を伴って自動的に実行されるので、蓋体が閉じられた安全な状態で、収納された食器が洗浄され、自動的に湯水の供給や排水も行われて、同食器は効率良く乾燥される。
【００１２】
しかも、スタートスイッチがＯＦＦ状態で洗浄、乾燥が行われていない際、蓋体の開閉状態にかかわらず、通常水位センサの検知により排水ポンプが自動的に作動して排水される。それ故、洗浄槽内に入り込んだ水は多量になると自動的に排水除去され、該洗浄槽内を水洗いして簡単に清掃することができ、同洗浄槽から水が溢れる水漏れのクレームを確実に防止することができる。
【００１３】
本発明の請求項３記載の食器洗浄装置は、開閉自在な蓋体を有してその内部に食器が収納される洗浄槽と、該洗浄槽内に供給される湯水で同食器を洗浄する洗浄手段と、該洗浄手段による洗浄行程で必要とされる同湯水の水位を検知する通常水位センサと、該洗浄行程の後に前記食器を乾燥させる乾燥手段と、該乾燥手段による乾燥行程へと至る以前に前記洗浄槽内の湯水を排水させる排水ポンプと、を備え、スタートスイッチがＯＮ操作されて蓋体が閉状態であるときに、前記洗浄行程と乾燥行程とが途中に排水ポンプの作動による排水を伴って自動的に実行されるようになした食器洗浄装置において、スタートスイッチがＯＦＦ状態であるときに、蓋体の開閉状態にかかわらず、排水ポンプを作動させて排水させる排水用スイッチを設けると共に、同じくスタートスイッチがＯＦＦ状態であるときに、蓋体の開閉状態にかかわらず、通常水位センサの検知により排水ポンプが自動的に作動して排水されるようになし、同排水ポンプが作動状態であることを表示する排水表示部を設けてなる。
【００１４】
したがって、この場合には、スタートスイッチがＯＮ操作されて蓋体が閉状態であると、必要とされる量の湯水が通常水位センサで検知されて洗浄槽内に供給され、洗浄行程と乾燥行程とが途中に排水ポンプの作動による排水を伴って自動的に実行されるので、蓋体が閉じられた安全な状態で、収納された食器が洗浄され、自動的に湯水の供給や排水も行われて、同食器は効率良く乾燥される。
【００１５】
しかも、スタートスイッチがＯＦＦ状態で洗浄、乾燥が行われていない際、蓋体の開閉状態にかかわらず、排水用スイッチにて排水ポンプを作動させることができると共に、通常水位センサの検知により同排水ポンプが自動的に作動して排水される。それ故、洗浄槽内に入り込んだ水を排水除去することができ、又、同洗浄槽内に入り込んだ水が多量になると自動的にも排水除去され、該洗浄槽内を水洗いして簡単に清掃することができ、同洗浄槽から水が溢れる水漏れのクレームを確実に防止することができる。更に、その際、排水ポンプが作動状態であることが排水表示部にて表示されるので、排水途中に誤ってスタートスイッチをＯＮ操作することも防止される。
【００１６】
本発明の請求項１〜３記載の食器洗浄装置は、前記洗浄槽が上方に開口され、該開口を開閉する蓋体がその閉状態で流し台のカウンターの高さと略等しくなるよう、該カウンターに設けられるシンクの側方に同洗浄槽が隣接設置されたものであることを特徴とする。
【００１７】
したがって、この場合には、閉状態にある蓋体の上方を、流し台のカウンターの高さと略等しく且つシンクの側方に隣接した調理作業スペースとして活用することができ、しかも、その際、洗浄槽内に入り込んだ水を容易に排水除去することができ、又、汚れ易い同洗浄槽の上部及びその周囲を水洗いして簡単に清掃することもできて、使い勝手が良く特に有効となる。
【００１８】
【発明の実施の形態】
図１〜４は、本発明の請求項１に対応する一実施形態を示し、該実施形態の食器洗浄装置は、開閉自在な蓋体１を有してその内部に食器が収納される洗浄槽２と、該洗浄槽２内に供給される湯水で同食器を洗浄する洗浄手段３と、該洗浄手段３による洗浄行程の後に前記食器を乾燥させる乾燥手段４と、該乾燥手段４による乾燥行程へと至る以前に前記洗浄槽２内の湯水を排水させる排水ポンプ５と、を備えてなる。この場合、スタートスイッチ６がＯＮ操作されて蓋体１が閉状態であるとき、前記洗浄行程と乾燥行程とが途中に排水ポンプ５の作動による排水を伴って自動的に実行されるようになっている。
【００１９】
該実施形態の食器洗浄装置においては、スタートスイッチ６がＯＦＦ状態であるときに、蓋体１の開閉状態にかかわらず、排水ポンプ５を作動させて排水させる排水用スイッチ７と、同排水ポンプ５が作動状態であることを表示する排水表示部８と、を設けている。又、洗浄槽２は上方に開口され、該開口を開閉する蓋体１がその閉状態で流し台10のカウンター11の高さと略等しくなるよう、該カウンター11に設けられるシンク12の側方に同洗浄槽２は隣接設置されている。
【００２０】
図２に示す如く、流し台10はその下部を収納スペースとするキャビネットであり、該流し台10の上面となる部分にカウンター11が設置固定されている。カウンター11の片側にはシンク12が設けられ、該シンク12の後方に、着脱自在で取り外して使用することができるシャワーカラン13が設けられている。シャワーカラン13は直流吐出状態とシャワー噴出状態とを切り換えて使用することができるもので、使用された湯水はシンク12の排水口14から排水管15へと排水除去されるものであり、該排水管15は流し台10の下部スペース内に収容配管されている。
【００２１】
洗浄槽２はカウンター11の前記シンク12とは反対側に設けられ、該シンク12の開口と同洗浄槽２の開口とは略同じ高さで近接配置されている。又、洗浄槽２は流し台10の下部スペース内に邪魔にならないよう収容設置されており、その上方開口にはこれを開閉する折り畳み自在な蓋体１が付設されている。それ故、シンク12でシャワーカラン13を使用して食器にこびりついた汚れや残菜等を予め洗い流しておいて、同食器をその側方に隣接して位置する洗浄槽２内へとスムーズに収納することができる。しかも、蓋体１が閉状態である際には、シンク12の側方に隣接して位置する同蓋体１の上を調理スペースや仮置きスペースとして有効に利用することができる。
【００２２】
図１に示す如く、洗浄槽２内の中程には、収納される食器を最適な状態で保持する収納カゴ16が設けられている。又、洗浄槽２の側壁上部には、該洗浄槽２内に湯水を供給する給湯電磁弁17が設けられており、該給湯電磁弁17は給湯管18と接続されていて、該給湯管18の途中にはストレーナ19が介設されている。洗浄槽２内に所定の水位まで湯水が供給されると、通常水位センサ９の検知により給湯電磁弁17は閉じ、洗浄ポンプ3bが作動して回転するスプレーアーム3aから同湯水が噴出され、該噴出する湯水によって収納カゴ16に保持された食器は効果的に洗浄される。
【００２３】
その際、洗浄槽２の底部に設けられる残菜フィルタ20を通じて、洗浄ポンプ3bからスプレーアーム3aへと湯水は同洗浄槽２内を循環される。この場合、スプレーアーム3a及び洗浄ポンプ3bが洗浄手段３となるもので、該洗浄手段３による洗浄行程が終了すると排水ポンプ５が作動し、洗浄槽２内の湯水は残菜フィルタ20からトラップ21を介して排水ホース22へと流れ、該排水ホース22から前記排水管15に合流されて排水除去される。又、給湯や排水等の動作が正常に行われず、洗浄槽２内の湯水が所定の水位以上となった際には、これを異常水位センサ23が検知して、該異常状態であることが報知される。
【００２４】
洗浄槽２の下部にはシーズヒータ4aが設けられており、該シーズヒータ4aによって前記循環される湯水は加熱保温される。又、洗浄槽２内の湯水が排水除去された後に乾燥行程が行われ、該乾燥行程では前記シーズヒータ4aによって同洗浄槽２内の空気が加熱保温される。その際、洗浄槽２内には吸気ファン4bによって外気が導入され、これがシーズヒータ4aによって加熱された後、同洗浄槽２の上端部に設けられた排気ダクト24から排出される。この場合、洗浄槽２内を温風が回流することになり、収納カゴ16に保持された食器は効果的に乾燥される。該乾燥行程における乾燥手段４は、シーズヒータ4a及び吸気ファン4bであり、該吸気ファン4bにヒータを設けてこれから温風が吹き出されるようになしても良い。
【００２５】
図２に示す如く、洗浄槽２の手前で流し台10のカウンター11の下側には、各種スイッチが配置形成された操作パネル25が設けられている。操作パネル25は、図３に示す如く、上記スタートスイッチ６、排水用スイッチ７、排水表示部８の他に、電源入スイッチ26、電源切スイッチ27、電源表示部28、洗いコース設定スイッチ29、洗いコース表示部30、乾燥時間設定スイッチ31、乾燥時間表示部32等を有している。
【００２６】
この場合には、電源プラグ（入）の状態で、まず、電源入スイッチ26を押してＯＮ操作する。その際、電源表示部28が点灯する。次に、洗いコース設定スイッチ29を押して、洗いコースを選択設定する。その際、洗いコース設定スイッチ29を押す毎に、洗いコース表示部30の標準、念入り、予洗いが順次点灯され、該点灯されたコースを選択設定することができる。この場合、標準、念入り、予洗いの全てが無点灯となるパターンを選択することもでき、そうすると、洗浄行程は行われず乾燥行程のみが実行されるコースを選択設定したことになる。
【００２７】
次の操作として、乾燥時間設定スイッチ31を押して乾燥時間を選択設定することになるが、この場合も、乾燥時間設定スイッチ31を押す毎に、乾燥時間表示部32の20分、60分が交互に点灯され、該点灯された時間を選択設定することができる。又、両方共に無点灯となるパターンを選択することもでき、そうすると、乾燥行程は実行されなくなる。なお、前回の乾燥時間を変更しない場合には、前記乾燥時間設定スイッチ31を押す操作は不要である。最後に、スタートスイッチ６を押すことで、上述の如き、洗浄行程、乾燥行程が自動的に実行される。この場合、蓋体１の閉状態を検知するセンサが設けられていて、該センサが検知していない際には、前記洗浄行程、乾燥行程が実行されないようになっている。
【００２８】
なお、洗浄行程では、洗剤を使用する本洗浄の他、その後に複数回のすすぎ洗いが行われ、その途中で自動的に排水ポンプ５が作動して適宜に排水動作が実行されると共に、該洗浄行程の後で乾燥行程へと至る前にも同様に排水動作は実行される。又、排水用スイッチ７を押し操作した場合も、排水ポンプ５が作動して排水動作は実行される。この場合、電源プラグ（入）状態であれば、電源入スイッチ26のＯＮ・ＯＦＦの如何にかかわらず、電源表示部28が点灯していない際にも、排水動作は実行され、その際、排水表示部８が点灯する。
【００２９】
すなわち、図４に示す如く、電源スイッチ（電源入スイッチ26）ＯＮの前後いずれであっても、排水用スイッチ７がＯＮされると、排水ポンプ５が作動すると共に排水表示部８が点灯し、その後、該排水用スイッチ７がＯＦＦされると、同排水ポンプ５が停止すると共に同排水表示部８が消灯する。この場合、蓋体１の開閉状態にかかわらず、前記動作が実行されるようになっている。
【００３０】
又、この場合には、排水用スイッチ７を一回(0.2秒以上の間）押すとＯＮ状態となって、排水ポンプ５が連続的に作動し、該排水用スイッチ７を再度押すとＯＦＦ状態となって、同排水ポンプ５は停止するものであるが、次のようになすこともできる。すなわち、排水用スイッチ７を一回(0.2秒〜１秒未満の間）押すとＯＮ状態となって、排水ポンプ５が連続的に２分間だけ作動して自動的にＯＦＦ状態となり停止するものであって、更に、このものにおいて、排水用スイッチ７を一回（１秒以上の間）押すとＯＮ状態となって、排水ポンプ５が連続的に15分間作動して自動的にＯＦＦ状態となり停止し、その途中で再度同排水用スイッチ７を押すとＯＦＦ状態となって停止するものとなすことができる。
【００３１】
したがって、該実施形態の食器洗浄装置においては、スタートスイッチ６がＯＮ操作されて蓋体１が閉状態であると、洗浄行程と乾燥行程とが途中に排水ポンプ５の作動による排水を伴って自動的に実行されるので、蓋体１が閉じられた安全な状態で、収納された食器が洗浄され、自動的に排水も行われて、同食器は効率良く乾燥される。
【００３２】
しかも、スタートスイッチ６がＯＦＦ状態で洗浄、乾燥が行われていない際にも、蓋体１の開閉状態にかかわらず、排水用スイッチ７を押し操作して容易に排水ポンプ５を作動させることができる。それ故、洗浄槽２内に入り込んだ水を随時に排水除去することができ、該洗浄槽２内を水洗いして簡単に清掃することができ、同洗浄槽２から水が溢れる水漏れのクレームを防止することができる。更に、その際、排水ポンプ５が作動状態であることが排水表示部８にて点灯表示されるので、排水途中に誤ってスタートスイッチ６をＯＮ操作することも防止される。
【００３３】
又、該実施形態の食器洗浄装置においては、閉状態にある蓋体１の上方を、流し台10のカウンター11の高さと略等しく且つシンク12の側方に隣接した調理作業スペース或いは仮置きスペース等として活用することができる。しかも、その際に、洗浄槽２内に入り込んだ水を容易に排水除去することができ、又、汚れ易い同洗浄槽２の上部及びその周囲を水洗いして簡単に清掃することもできて、使い勝手が良く特に有効となる。更に、この場合、シンク12の後方に着脱自在に設けられたシャワーカラン13を側方へ取り出し、該シャワーカラン13を使用して楽に洗浄槽２の上部及びその周囲を水洗いすることができる。
【００３４】
図５は、本発明の請求項２に対応する別の実施形態を示し、該実施形態の食器洗浄装置においては、洗浄手段３による洗浄行程で必要とされる湯水の水位を検知する通常水位センサ９を備え、スタートスイッチ６がＯＦＦ状態であるときに、蓋体１の開閉状態にかかわらず、同通常水位センサ９の検知により排水ポンプ５が自動的に作動して排水されるようになっている。この場合、電源スイッチ（電源入スイッチ26）ＯＮの前後いずれであっても、通常水位センサ９の検知によって、自動的に排水ポンプ５が作動すると共に電源表示部28が点灯し、その後、電源スイッチをＯＦＦする（電源切スイッチ27を押す）と、同排水ポンプ５が停止すると共に同電源表示部28が消灯する。
【００３５】
したがって、該実施形態の食器洗浄装置においては、必要とされる量の湯水が通常水位センサ９で検知されて洗浄槽２内に供給されるのは、上記実施形態におけると同様であるが、スタートスイッチ６がＯＦＦ状態で洗浄、乾燥が行われていない際、蓋体１の開閉状態にかかわらず、通常水位センサ９の検知により排水ポンプ５が自動的に作動して排水される。それ故、洗浄槽２内に入り込んだ水は多量になると自動的に排水除去され、該洗浄槽２内を水洗いして簡単に清掃することができ、同洗浄槽２から水が溢れる水漏れのクレームを確実に防止することができる。
【００３６】
又、この場合には、上記実施形態における異常水位センサ23に係る異常モード設定が不要となり、通常水位センサ９によって更に少ない流量でも検知することができるようになって、コストダウンや信頼性の向上が図られる。なお、それ以外は、上記図１〜４に示した実施形態と同様に構成されており、排水用スイッチ７及び排水表示部８に係る以外の作用効果が同上記実施形態におけると同様に奏される。
【００３７】
図６は、本発明の請求項２に対応する更に別の実施形態を示し、該実施形態の食器洗浄装置においては、電源スイッチ（電源入スイッチ26）ＯＮの前後いずれであっても、通常水位センサ９の検知によって、自動的に排水ポンプ５が一定時間（１分間）だけ作動した後に自動停止し、再度、同通常水位センサ９が検知するまで、同停止したＯＦＦ状態は継続される。なお、それ以外は、上記図５に示した実施形態と同様に構成されており、同上記実施形態におけると同様の作用効果が奏される。
【００３８】
図７は、本発明の請求項３に対応する更に別の実施形態を示し、該実施形態の食器洗浄装置は、上記図１〜４に示した実施形態と上記図５に示した実施形態との両者における構成を共に備えたものである。すなわち、スタートスイッチ６がＯＦＦ状態であるときに、蓋体１の開閉状態にかかわらず、排水ポンプ５を作動させて排水させる排水用スイッチ７を設けると共に、同じくスタートスイッチ６がＯＦＦ状態であるときに、蓋体１の開閉状態にかかわらず、通常水位センサ９の検知により排水ポンプ５が自動的に作動して排水されるようになし、同排水ポンプ５が作動状態であることを表示する排水表示部８を設けている。
【００３９】
この場合、通常水位センサ９の検知によって、自動的に排水ポンプ５が作動すると共に排水表示部８が点灯し、その後、排水用スイッチ７をＯＦＦすると、同排水ポンプ５が停止すると共に同排水表示部８が消灯する。したがって、該実施形態の食器洗浄装置においては、上記図１〜４に示した実施形態、或いは、上記図５に示した実施形態と同様に構成されており、上記同両実施形態における作用効果が共に同様に奏される。
【００４０】
【発明の効果】
上述の如く、本発明の請求項１記載の食器洗浄装置においては、洗浄槽内に入り込んだ水を排水用スイッチの操作により排水除去することができ、該洗浄槽内を水洗いして簡単に清掃することができ、水漏れのクレームを防止することができ、その際、排水表示部の表示により排水途中に誤ってスタートスイッチをＯＮ操作することも防止される。
【００４１】
又、本発明の請求項２記載の食器洗浄装置においては、洗浄槽内に入り込んだ水が多量になると通常水位センサの検知により自動的に排水除去され、該洗浄槽内を水洗いして簡単に清掃することができ、水漏れのクレームを確実に防止することができる。
【００４２】
又、本発明の請求項３記載の食器洗浄装置においては、洗浄槽内に入り込んだ水を排水用スイッチの操作により排水除去することができ、しかも、同洗浄槽内に入り込んだ水が多量になると通常水位センサの検知により自動的にも排水除去され、該洗浄槽内を水洗いして簡単に清掃することができ、水漏れのクレームを確実に防止することができ、その際、排水表示部の表示により排水途中に誤ってスタートスイッチをＯＮ操作することも防止される。
【００４３】
又、本発明の請求項１〜３記載の食器洗浄装置においては、閉状態にある蓋体の上方を調理作業スペースとして活用することができ、しかも、その際、洗浄槽内に入り込んだ水を容易に排水除去することができ、又、汚れ易い同洗浄槽の上部及びその周囲を水洗いして簡単に清掃することもできて、使い勝手が良く特に有効となる。
【図面の簡単な説明】
【図１】本発明の一実施形態である食器洗浄装置を示す概略構成断面図。
【図２】同実施形態である食器洗浄装置を示す概略構成斜視図。
【図３】同実施形態である食器洗浄装置の操作パネルを示す正面図。
【図４】同実施形態である食器洗浄装置の動作手順を示すフローチャート。
【図５】別の実施形態である食器洗浄装置の動作手順を示すフローチャート。
【図６】更に別の実施形態である食器洗浄装置の動作手順を示すフローチャート。
【図７】更に別の実施形態である食器洗浄装置の動作手順を示すフローチャート。
【符号の説明】
１  蓋体
２  洗浄槽
３  洗浄手段
４  乾燥手段
５  排水ポンプ
６  スタートスイッチ
７  排水用スイッチ
８  排水表示部
９  通常水位センサ
10  流し台
11  カウンター
12  シンク
【図１】
0003635958.tif 000002
【図２】
0003635958.tif 000003
【図３】
0003635958.tif 000004
【図４】
0003635958.tif 000005
【図５】
0003635958.tif 000006
【図６】
0003635958.tif 000007
【図７】
0003635958.tif 000008